(57)【要約】【課題】好みに応じて発光色を容易に選択することができる照明器具を提供する。【解決手段】照明器具１０は、カバー体１２の内部に、発光部１１と、カバー体１２の配置姿勢を検出するセンサー１３と、カバー体１２の配置姿勢に応じて発光部１１の発光色を制御する発光制御部１４とを備えている。発光制御部１４は、カバー体１２が第１姿勢（Ａ）にある時には発光部１１の発光色を時間の経過により変化させ、カバー体１２が第１姿勢（Ａ）から第２姿勢（Ｂ）に変化した時に発光部１１の発光色をカバー体１２の配置姿勢が変化した時の発光色に固定する。【選択図】図１
2019153476.tif 000002
【特許請求の範囲】
【請求項１】
有機発光ダイオードよりなり、複数の色を発光可能な発光部と、
この発光部を内部に収納し、複数の姿勢で配置可能なカバー体と、
このカバー体の配置姿勢を検出するセンサーと、
このセンサーにより検出したカバー体の配置姿勢に応じ、前記カバー体が第１姿勢にある時には前記発光部の発光色を時間の経過により変化させ、前記カバー体が第１姿勢から第２姿勢に変化した時に前記発光部の発光色を前記カバー体の配置姿勢が変化した時の発光色に固定し、前記カバー体が第２姿勢にある時には前記発光部の発光色を変化させずに固定する発光制御部と
を備えたことを特徴とする照明器具。
【請求項２】
前記発光制御部は、前記カバー体が第３姿勢にある時には前記発光部を消灯させることを特徴とする請求項１記載の照明器具。
【発明の詳細な説明】
【技術分野】
【０００１】
本発明は、好みに応じて発光色を容易に選択することができる照明器具に関するものである。
【背景技術】
【０００２】
従来より、サーカディアンリズム等の人間の生体リズムにとって好ましい光環境を生成する照明システムが提案されている（例えば、特許文献１参照）。この照明システムは、生体リズムに沿って朝方の所定時刻から正午近傍の時刻までは部屋の環境照度が高照度となり、日の入り前後の所定時刻から夜間の所定時刻までは部屋の環境照度が低照度となるように調整するようにしたものである。
【先行技術文献】
【特許文献】
【０００３】
【特許文献１】特開２００６−２２８５３０号公報
【発明の概要】
【発明が解決しようとする課題】
【０００４】
しかしながら、このような照明システムは、部屋全体の光環境を調整するものであるので、個人の生活シーンに合わせて、好みに合った照明を手軽に調節することが難しいという問題があった。
【０００５】
本発明は、このような問題に基づきなされたものであり、好みに応じて発光色を容易に選択することができる照明器具を提供することを目的とする。
【課題を解決するための手段】
【０００６】
本発明の照明器具は、有機発光ダイオードよりなり、複数の色を発光可能な発光部と、この発光部を内部に収納し、複数の姿勢で配置可能なカバー体と、このカバー体の配置姿勢を検出するセンサーと、このセンサーにより検出したカバー体の配置姿勢に応じ、カバー体が第１姿勢にある時には発光部の発光色を時間の経過により変化させ、カバー体が第１姿勢から第２姿勢に変化した時に発光部の発光色をカバー体の姿勢が変化した時の発光色に固定し、カバー体が第２姿勢にある時には発光部の発光色を変化させずに固定する発光制御部とを備えたものである。
【発明の効果】
【０００７】
本発明の照明器具によれば、発光部は複数の色を発光可能とし、カバー体は複数の姿勢で配置可能として、カバー体が第１姿勢にある時には発光部の発光色を時間の経過により変化させ、カバー体が第１姿勢から第２姿勢に変化した時に発光部の発光色をカバー体の配置姿勢が変化した時の発光色に固定するようにしたので、発光色の変化を楽しみたいときにはカバー体を第１姿勢に配置し、発光色を固定したいときには、カバー体を第１姿勢に配置して発光色の変化を見ながら好みの色となった時にカバー体の配置姿勢を第２姿勢に変化させることにより、その時の気分に応じた好みの色を容易に選択することができる。
【０００８】
また、カバー体が第３姿勢にある時に発光部を消灯するようにすれば、手軽に消灯及び点灯を制御することができる。
【図面の簡単な説明】
【０００９】
【図１】本発明の一実施の形態に係る照明器具の外観構成を表すものである。
【図２】図１に示した照明装置の構成を表すブロック図である。
【発明を実施するための形態】
【００１０】
以下、本発明の実施の形態について図面を参照して詳細に説明する。
【００１１】
図１は本発明の一実施の形態に係る照明器具１０の外観構成を表すものである。図２は、図１に示した照明器具１０の構成を表すものである。この照明器具１０は、発光部１１と、発光部１１を内部に収納するカバー体１２を備えている。
【００１２】
発光部１１は、有機発光ダイオード（以下、有機ＬＥＤと言う）により構成されている。有機ＬＥＤは自然光に近い光を得ることができ、快適な照明環境を容易に作り出すことができるので好ましい。発光部１１は、複数の色を発光可能とされており、例えば、発光色の異なる複数の有機ＬＥＤを組み合わせることにより構成されている。具体的には、例えば、赤色の有機ＬＥＤと、緑色の有機ＬＥＤと、青色の有機ＬＥＤとを組み合わせて発光部１１を構成し、それらの発光強度を調節することにより発光部１１の発光色を調節するように構成される。
【００１３】
カバー体１２は、複数の姿勢で配置可能とされており、例えば、直方体状などの凸多面体状とされていることが好ましい。カバー体１２は、例えば、少なくとも一部が透光性を有する材料により構成されている。例えば、図１に示した例では、カバー体１２は直方体状に構成されており、そのうちの一面に、透光性を有する材料よりなる窓部１２Ａが設けられている。図１に示したカバー体１２の場合、（Ａ）に示した窓部１２Ａを上に向けた配置姿勢、（Ｂ）に示した窓部１２Ａを横に向けた４つの配置姿勢、（Ｃ）に示した窓部１２Ａを下に向けた配置姿勢の合計６つの姿勢で配置可能となっている。
【００１４】
この照明器具１０は、また、カバー体１２の内部に、カバー体１２の配置姿勢を検出するセンサー１３と、このセンサー１３により検出したカバー体１２の配置姿勢に応じて、発光部１１の発光色を制御する発光制御部１４とを備えている。センサー１３は、例えば、２軸（Ｘ軸（横）、Ｙ軸（縦））又は３軸（Ｘ軸（横）、Ｙ軸（縦）、Ｚ軸（前後））の加速度センサーを使用することが好ましい。センサー１３は、例えば、配置姿勢における重力加速度を検知し、一つの配置姿勢を基本姿勢として、基本姿勢からの傾きを判断し、発光制御部１４に出力するようになっている。
【００１５】
発光制御部１４は、例えば、センサー１３から入力された信号に応じて、カバー体１２が第１姿勢にある時には発光部１１の発光色を時間の経過により変化させ、カバー体１２が第１姿勢から第２姿勢に変化した時に発光部１１の発光色をカバー体１２の配置姿勢が変化した時の発光色に固定し、カバー体１２が第２姿勢にある時には発光部１１の発光色を変化させずに固定するように制御する第１機能を有している。第１姿勢と第２姿勢は異なる配置姿勢である。
【００１６】
例えば、図１に示した例において、（Ａ）に示した窓部１２Ａを上に向けた配置姿勢を第１姿勢とし、（Ｂ）に示した窓部１２Ａを横に向けた４つの配置姿勢を第２姿勢とすると、窓部１２Ａが上を向くように配置されている時には、発光制御部１４は発光部１１の発光色を時間の経過により変化させるように制御し、窓部１２Ａが上を向いた状態から横を向くように配置姿勢が変えられると、発光制御部１４は発光部１１の発光色を配置姿勢が変化した時の発光色に固定するように制御し、窓部１２Ａが横を向いた状態に配置されている時には、発光制御部１４は発光部１１の発光色を変化させずに固定するよう制御するようになっている。
【００１７】
また、発光制御部１４は、例えば、カバー体１２が第３姿勢にある時には発光部１１を消灯させるように制御する第２機能を有していることが好ましい。カバー体１２の配置姿勢を変えることにより、感覚的に消灯及び点灯を制御することができるからである。第３姿勢は、第１姿勢及び第２姿勢と異なる配置姿勢である。例えば、図１に示した例において、（Ｃ）に示した窓部１２Ａを下に向けた配置姿勢を第３姿勢とすると、窓部１２Ａが下を向くように配置されている時には、発光制御部１４は発光部１１を消灯するように制御するようになっている。
【００１８】
更に、発光制御部１４は、例えば、カバー体１２の配置姿勢に応じて、発光部１１の発光色又は発光部１１による所定の位置における照度を変化させる第３機能、又は、時間に応じて、発光部１１の発光色又は発光部１１による所定の位置における照度を変化させる第４機能を有していてもよい。カバー体１２の配置姿勢を変えることにより簡単に発光色や照度を変えることができ、好みに合った照明を手軽に調節することができるからである。
【００１９】
カバー体１２には、発光制御部１４の機能を切り替える切替スイッチを（図示せず）を設けるようにしてもよく、また、カバー体１２の配置姿勢により発光制御部１４の機能を切り替えるようにしてもよい。例えば、カバー体１２が第３姿勢（例えば、窓部１２Ａを下に向けた配置姿勢）から第２姿勢（例えば、窓部１２Ａを横に向けた配置姿勢）に変えられた時に、発光制御部１４は第３機能を開始し、カバー体１２が第２姿勢（例えば、窓部１２Ａを横に向けた配置姿勢）から第１姿勢（例えば、窓部１２Ａを上に向けた配置姿勢）に変えられた時に、発光制御部１４は第１機能を開始するようにしてもよい。
【００２０】
加えて、発光制御部１４は、例えば、パソコンやスマートフォンなどのコンピュータにより、発光部１１の発光色又は発光部１１による所定の位置における照度を設定又は変更可能とされていることが好ましい。個人の好みに合わせて照明を調節することができるからである。
【００２１】
なお、この照明器具１０は、プラグ１５を介して、電源に接続されて用いられる。また、カバー体１２の内部に、図示しない電池を備えるようにしてもよい。
【００２２】
この照明器具１０は、例えば、次のように作動する。なお、以下の説明では、理解を容易とするために、図１に示した例の場合について具体的に説明する。まず、例えば、カバー体１２の配置姿勢を窓部１２Ａが下を向いた第３姿勢から窓部１２Ａが横を向いた第２姿勢に変えると、発光制御部１４は第３機能を開始し、配置姿勢に応じた発光色又は照度で点灯する。
【００２３】
次いで、例えば、カバー体１２の配置姿勢を窓部１２Ａが上を向いた第１姿勢に変えると、発光制御部１４は第１機能を開始し、発光部１１の発光色を時間の経過により変化させる。例えば、発光部１１を構成する赤色の有機ＬＥＤ、緑色の有機ＬＥＤ、及び、青色の有機ＬＥＤの発光強度を変化させることにより、発光部１１の発光色を変化させる。続いて、例えば、カバー体１２の配置姿勢を窓部が横を向いた第２姿勢に変えると、発光制御部１４は発光部１１の発光色を配置姿勢が変化した時の発光色に固定し、窓部１２Ａが横を向いた第２姿勢にある時には、発光制御部１４は発光部１１の発光色を変化させずに固定したままとする。
【００２４】
そののち、例えば、カバー体１２の配置姿勢を窓部１２が下を向いた第３姿勢に変えると、発光制御部１４は発光部１１を消灯する。
【００２５】
このように本実施の形態によれば、発光部１１は複数の色を発光可能とし、カバー体１２は複数の姿勢で配置可能として、カバー体１２が第１姿勢にある時には発光部１１の発光色を時間の経過により変化させ、カバー体１２が第１姿勢から第２姿勢に変化した時に発光部１１の発光色をカバー体１２の配置姿勢が変化した時の発光色に固定するようにしたので、発光色の変化を楽しみたいときにはカバー体１２を第１姿勢に配置し、発光色を固定したいときには、カバー体１２を第１姿勢に配置して発光色の変化を見ながら好みの色となった時にカバー体１２の配置姿勢を第２姿勢に変化させることにより、その時の気分に応じた好みの色を容易に選択することができる。
【００２６】
また、カバー体１２が第３姿勢にある時に発光部１１を消灯するようにすれば、手軽に消灯及び点灯を制御することができる。
【００２７】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２８】
照明に用いることができる。
【符号の説明】
【００２９】
１０…照明器具、１１…発光部、１２…カバー体、１２Ａ…窓部、１３…センサー、１４…発光制御部、１５…プラグ
【図１】
2019153476.tif 000003
【図２】
2019153476.tif 000004